(57)【要約】【課題】配線・配管材や接続具を挿通または接続する接続口が十分な強度を有するとともに、簡単な作業によって接続口を開口させたり閉塞させたりすることができる配線・配管材またはその接続具の接続部を提供する。【解決手段】壁部１３と、壁部１３を貫通する孔で形成され、配線・配管材またはその端部に取付けられる接続具が挿通または接続される接続口１４と、開口を壁部１３の端部から臨むように備えるとともに開口より壁部１３の壁面に沿う奥方で接続口１４と連通するように壁部１３の厚み部に設けられたスリット１６と、スリット１６の開口から壁部１３の壁面に沿って着脱自在に取付けられ接続口１４を閉塞する閉塞板２０と、を備えた。【選択図】図１
2014183597.tif 000002
【特許請求の範囲】
【請求項１】
壁部と、
該壁部を貫通し周縁全体が該壁部で塞がれた孔によって形成され、配線・配管材またはその端部に取付けられる接続具が挿通または接続される接続口と、
前記接続口を閉塞する閉塞板と、
前記閉塞板を保持する保持部と、を備え、
前記閉塞板は、前記壁部の壁面に沿って前記保持部に着脱自在に取付けられ保持されることを特徴とする配線・配管材またはその接続具の接続部。
【請求項２】
前記壁部の厚み部に設けられ、開口を前記壁部の端部から臨むように備えるとともに該開口より前記壁部の壁面に沿う奥方で前記接続口と連通するスリットによって、前記保持部が形成され、
前記閉塞板は、前記スリットの開口から前記壁部の壁面に沿って着脱自在に挿入されて前記接続口を閉塞することを特徴とする請求項１に記載の配線・配管材またはその接続具の接続部。
【請求項３】
壁部と、
該壁部を貫通し周縁全体が該壁部で塞がれた孔によって形成され、配線・配管材またはその端部に取付けられる接続具が挿通または接続される接続口と、
前記接続口を部分的に閉塞することで、前記接続口の内部に、一の前記配線・配管材より小径の配線・配管材またはその端部に取付けられる接続具が挿通または接続される小径接続口を形成する小径接続口形成板と、
前記小径接続口形成板を保持する保持部と、を備え、
前記小径接続口形成板は、前記壁部の壁面に沿って前記保持部に着脱自在に取付けられ保持されることを特徴とする配線・配管材またはその接続具の接続部。
【請求項４】
前記壁部の厚み部に設けられ、開口を前記壁部の端部から臨むように備えるとともに該開口より前記壁部の壁面に沿う奥方で前記接続口と連通するスリットによって、前記保持部が形成され、
前記小径接続口形成板は、前記スリットの開口から前記壁部の壁面に沿って着脱自在に挿入されて前記接続口を部分的に閉塞することを特徴とする請求項３に記載の配線・配管材またはその接続具の接続部。
【請求項５】
前記接続口は、略円形状であることを特徴とする請求項１乃至請求項３のいずれかに記載の配線・配管材またはその接続具の接続部。
【請求項６】
前記小径接続口は、略円形状であることを特徴とする請求項３または請求項４に記載の配線・配管材またはその接続具の接続部。
【請求項７】
前記小径接続口形成板は、前記接続口の全体を閉塞可能な閉塞板の一部がノックアウトにより除去されることによって形成されることを特徴とする請求項３、請求項４及び請求項６のいずれかに記載の配線・配管材またはその接続具の接続部。
【請求項８】
前記接続口は、前記配管材の外径より僅かに小さい内径に形成されていることを特徴とする請求項１乃至請求項５のいずれかに記載の配線・配管材またはその接続具の接続部。
【請求項９】
前記小径接続口は、前記一の配線・配管材より小径の配管材の外径より僅かに小さい内径に形成されていることを特徴とする請求項３、請求項４、請求項６及び請求項７のいずれかに記載の配線・配管材またはその接続具の接続部。
【発明の詳細な説明】
【技術分野】
【０００１】
本発明は、壁部に設けられ、配線材や配管材（以下「配線・配管材」と称する）、若しくは配線・配管材の端部に取付けられる接続具が挿通または接続される接続口を備えた配線・配管材またはその接続具の接続部に関するものである。
【背景技術】
【０００２】
電力ケーブルや通信ケーブル等の配線材を配線する際や、配線材を挿通させて保護するケーブル保護管や吸排気ダクト等の配管材を配管する際には、様々な配線器具や配管器具（以下「配線・配管器具」と称する）が用いられる。例えば、スイッチを収容するスイッチボックス、コンセントを収容するコンセントボックス、仮設電源を収容する仮設電源ボックス、ブレーカー等の電気機器を収容する電機機器収容ボックス、配管材を分岐したり直線状や直角状に接続したりするための配管接続ボックス等である。また、配線・配管器具は、ボックス状のものに限らず、板状のものもある。例えば、電力量計を取付けるための電力量計取付盤等である。そして、このような配線・配管器具の中には、ボックス状の本体の側面や底面、板状の本体の底面等を構成したり、補強や区画のために適宜部位に立設されたリブや枠等を構成する壁部と、この壁部に設けられ、配線・配管材が挿通または接続されたり、配線・配管材の端部に取付けられる接続具が挿通または接続される接続口とを備えたものがある。
【０００３】
このような壁部と接続口とを備えた配線・配管器具は、種々のものが案出されており、例えば、特許文献１に開示されているように、壁部に複数のノックアウト部が設けられていて、ハンマーやドライバー等の工具で所望のノックアウト部を打抜くことで必要に応じて壁部に接続口を形成することができるようにした配線・配管器具がある。ここで、特許文献１に開示の配線・配管器具は、大きなノックアウト部の内側に小さなノックアウト部が設けられたものであり、必要に応じて形成する接続口として大きな接続口か小さな接続口かを選択できるようにしたものでもある。
【０００４】
また、特許文献２に開示されているように、壁部に複数の接続口が予め設けられており、所望の接続口に閉塞具を装着することで、使用しない接続口を閉塞できるようにした配線・配管器具がある。
【０００５】
また、特許文献３に開示されているように、複数面の壁部自体がノックアウト部となっており、所望の壁部を打抜き、打抜かれた壁部の両側に設けられたスリットに、挿通させる配線・配管材の形状に応じた穴や切欠きが設けられた閉鎖板をスライド装着することで、必要に応じて接続口を形成できるようにした配線・配管器具がある。
【０００６】
また、特許文献４に開示されているように、壁部の上方にスリットが形成されており、このスリットに側板をスライド装着することで、壁部の中央部に設けられた半円状の切欠きと側板の下部に設けられた半円状の切欠きとによって、配線・配管材を挿通させる接続口が形成されるようにした配線・配管器具がある。
【先行技術文献】
【特許文献】
【０００７】
【特許文献１】特開２００２−１７６７２０号公報
【特許文献２】特開２００６−２９６０１７号公報
【特許文献３】特開平９−２４７８２１号公報
【特許文献４】実開昭６３−１９３８８６号公報
【発明の概要】
【発明が解決しようとする課題】
【０００８】
特許文献１に開示されているようなノックアウト部を打抜くことで必要な接続口を形成する配線・配管器具では、誤って違う箇所のノックアウト部を打抜いてしまうと、使い物にならなくなってしまう。また、打抜く大小のノックアウト部を選択することで、大きな接続口を形成するか、小さな接続口を形成するかを選択することはできるものの、大きな接続口を形成した後は、小さな接続口に戻すことができず、接続口の大きさを自由に変更することはできない。
【０００９】
これに対し、特許文献２に開示されているような配線・配管器具は、使用しない接続口を閉塞具によって閉塞できることから、「誤って違うノックアウト部を打抜いてしまって使い物にならなくなる」といった不具合を生じない。しかしながら、特許文献２に開示のものでは、接続口に閉塞具が螺着されるものであるため、閉塞具の着脱作業が煩雑となる。特に、配線・配管器具が建物の壁面や床面に取付けられていると、配線・配管器具周りの作業空間が限定されることから、閉塞具を回動操作して着脱する作業が困難を極める場合がある。また、特許文献２に開示のものは、使用する接続口の大きさを選択できるような考慮がなされていないものである。
【００１０】
一方、特許文献３や許文献４に開示されているような配線・配管器具では、接続口の全部または一部が壁部とは別体の部材によって構成されるものであり、壁部に設けた接続口と同等な強度を確保することが困難で接続口が脆弱になり易い。
【００１１】
本発明は、上記実情を鑑みてなされたものであり、配線・配管材や接続具を挿通または接続する接続口が十分な強度を有するとともに、簡単な作業によって接続口を開口させたり閉塞させたりすることができる配線・配管材またはその接続具の接続部の提供を課題とする。
【課題を解決するための手段】
【００１２】
請求項１の配線・配管材またはその接続具の接続部は、壁部と、該壁部を貫通し周縁全体が該壁部で塞がれた孔によって形成され、配線・配管材またはその端部に取付けられる接続具が挿通または接続される接続口と、前記接続口を閉塞する閉塞板と、前記閉塞板を保持する保持部と、を備え、前記閉塞板は、前記壁部の壁面に沿って前記保持部に着脱自在に取付けられ保持されるものである。
【００１３】
請求項３に係る発明は、壁部と、該壁部を貫通し周縁全体が該壁部で塞がれた孔によって形成され、配線・配管材またはその端部に取付けられる接続具が挿通または接続される接続口と、前記接続口を部分的に閉塞することで、前記接続口の内部に、一の前記配線・配管材より小径の配線・配管材またはその端部に取付けられる接続具が挿通または接続される小径接続口を形成する小径接続口形成板と、前記小径接続口形成板を保持する保持部と、を備え、前記小径接続口形成板は、前記壁部の壁面に沿って前記保持部に着脱自在に取付けられ保持されるものである。
【００１４】
請求項２、請求項４に係る発明は、壁部の厚み部に設けられ、開口を前記壁部の端部から臨むように備えるとともに該開口より前記壁部の壁面に沿う奥方で接続口と連通するスリットによって、保持部が形成され、閉塞板、小径接続口形成板は、該スリットの開口から前記壁部の壁面に沿って着脱自在に挿入されて前記接続口を閉塞するものである。
【００１５】
請求項５、請求項６に係る発明は、それぞれ接続口、小径接続口が、略円形状のものである。
請求項７に係る発明は、小径接続口形成板が、接続口の全体を閉塞可能な閉塞板の一部がノックアウトにより除去されることによって形成されるものである。
請求項８、請求項９に係る発明は、それぞれ接続口、小径接続口が、配管材の外径より僅かに小さい内径に形成されている。
【発明の効果】
【００１６】
請求項１の発明は、接続口が、壁部を貫通する孔によって形成され、孔の周縁全体が壁部で塞がれているので、十分な強度を備えている。また、閉塞板は、壁部の壁面に沿うように平行に移動して着脱自在に取付けられるものであるから、簡単かつ任意に接続口を開口したり閉塞することができる。
【００１７】
請求項３の発明は、接続口に小径接続口形成板を着脱するだけで、大径の配線・配管材や接続具が挿通または接続される接続口と、小径の配線・配管材や接続具が挿通または接続される小径接続口とを簡単かつ任意に切り替えて形成することができる。また、大径の配管材、小径の配管材ともに隙間なく接続口、小径接続口に接続することができる。
【００１８】
請求項２、請求項４の発明は、壁部の厚み部にスリットが設けられているので、接続口の全体的または部分的開閉を、閉塞板、小径接続口形成板をスリットに抜き差しするだけの簡単な操作で行なうことができる。また、閉塞板、小径接続口形成板は、壁部の壁面に沿って設けられたスリットに挿入されるので、配線・配管材の抜き差し方向に加わる力に対して安定して取付けることができる。
【００１９】
請求項５、請求項６の発明は、接続口、小径接続口が略円形状のものであるから、一般に断面が円形状である配線・配管材や接続具を的確に接続することができる。また、接続口、小径接続口と配線・配管材や接続具との隙間をなくすことが容易である。
請求項７の発明は、接続口の全体を閉塞する閉塞板を、必要に応じてノックアウトを打ち抜いて除去するだけの作業で簡単に小径接続口形成板を形成することができるとともに、部品点数を低減でき、部品管理も容易となる。
請求項８、請求項９の発明は、接続口、小径接続口が、配管材の外径より僅かに小さい内径に形成されているので、配管材は、強制的に接続口、小径接続口に差し込むことにより弾性的な径方向の突張り力によって保持される。したがって、配管材を差し込むだけの極く簡単な操作でこれを接続口、小径接続口に接続することができる。
【図面の簡単な説明】
【００２０】
【図１】本発明に係る配線・配管器具の一例を示す斜視図である。
【図２】図１に示した配線・配管器具の接続部の拡大図であり、（ａ）は上方から見た斜視図、（ｂ）は下方から見た斜視図である。
【図３】スリット部分の縦断面図である。
【図４】スライド装着部材を示す図であり、（ａ）は正面図、（ｂ）は背面図である。
【図５】（ａ）及び（ｂ）は、それぞれ小口接続口の例を示す説明図である。
【図６】図１の接続口に配管材を接続した状態を示す要部断面図である。
【図７】配線・配管器具の別の例を示す斜視図である。
【図８】図７の接続部の別の例を示す斜視図である。
【図９】図７の接続具の更に別の例を示す斜視図である。
【図１０】図７の接続具の更に別の例を示す斜視図である。
【発明を実施するための形態】
【００２１】
本発明に係る配線・配管材またはその接続具の接続部の実施形態を以下に例示する。
【００２２】
図１及び図２において、配線・配管器具の一例として電力量計取付盤１０を示す。この電力量計取付盤１０は、建築物の壁面等に電力量計を取付けるためのものであり、全体が板状に形成された基台部１１と、この基台部１１の外郭縁端に立設された枠部１２とを備えたものである。なお、この電力量計取付盤１０では、枠部１２にボックス状のカバー（図示省略）が装着可能となっており、電力量計を取付けた後にカバーを装着することで、電力量計を保護することができる。また、基台部１１や枠部１２は、壁部１３を構成するものであり、下部の枠部１２を構成する壁部１３には、その壁部１３を貫通し周縁全体が壁部１３で塞がれた円形状の孔からなる接続口１４が設けられている。なお、この接続口１４は、後述する大径接続口１５を構成する。
【００２３】
大径接続口１５は、ケーブル等の配線材３０、ケーブルの保護管等の配管材３１や、これらの配線材３０、配管材３１の端部に取付けられる接続具を壁部１３に挿通させたり接続させたりするためのものである。なお、この大径接続口１５は、後述する小径接続口２３に接続される小径の配管材３１と比較して径の大きい配管材３１を接続するものであり、請求項の「一の配線・配管材」の配管材に相当する。
【００２４】
大径接続口１５は、一部が肉厚になった壁部１３の肉厚部分に設けられているとともに、大径接続口１５の周辺にはスリット１６が設けられている。スリット１６は、後述する閉塞板２０が必要に応じて開口１６ａから壁部１３の壁面に沿って内部に着脱自在に挿入されるものである。スリット１６は、電力量計取付盤１０の手前前方からの操作によって、閉塞板２０を内部に差し入れたり、抜き出したりすることができるようになっている。閉塞板２０は、スリット１６に対して抜き差しすることで、大径接続口１５を開口させたり閉塞させたりすることができるものである。なお、これら壁部１３、接続口１４、スリット１６及び閉塞板２０は、請求項の配線・配管材またはその接続具の「接続部」を構成する。また、スリット１６は、請求項の「保持部」を構成する。
【００２５】
大径接続口１５は、壁部１３から突出するボス部１７を備えており、このボス部１７の端部には、大径接続口１５の内方に延出するリング板状のフランジ部１８が形成されている。大径接続口１５は配管材３１の外形より僅かに小さい内径に形成されている。フランジ部１８は、ケーブル保護管等の配管材３１を大径接続口１５に差し入れる際に、配管材３１のそれ以上の差し入れを規制するストッパーとして機能する。
【００２６】
次に、スリット１６の詳細を説明する。スリット１６は、壁部１３の上端部に開口１６ａを外方に臨むように備えているとともに、該開口１６ａより壁部１３の壁面に沿う奥方即ち電力量計取付盤１０の底面方向において接続口１４と連通するように、壁部１３の厚み部に設けられている。更に、スリット１６は、上部が広く、下部が狭くなった段差形状に形成されている。このようにスリット１６を段差形状とすることで、壁部１３に設けたスリット１６によって壁部１３の強度が大きく低下することを抑制することができる。また、大径接続口１５の最下部においては、スリット１６は設けられておらず、スリット１６の両面が最下部において繋がった形状となっており、大径接続口１５の最下部における強度が確保されている。更に、スリット１６は、図３に示すように、これに挿入された閉塞板２０の上部が壁部１３の上端部から突き出すように設定してあり、閉塞板２０の上部を指で摘んで抜き出すことができるようにしてある。
【００２７】
次に、図４に基づいて、閉塞板２０の詳細を説明する。閉塞板２０は、全体が平板状に形成されており、スリット１６に応じた外郭形状を呈するものである。そして、閉塞板２０の一方の面には、薄肉となったノックアウト溝２１が設けられており、このノックアウト溝２１に囲まれた部分が、打抜きによって除去可能なノックアウト部２２となっている。そして、ノックアウト部２２を除去した上で閉塞板２０をスリット１６に装着すると、ノックアウト部２２によって、大径接続口１５よりも小さい小径接続口２３が形成されるようになっている。このノックアウト部２２を除去した閉塞板２０は小径接続口形成板２４を構成する。
【００２８】
本実施形態では、ノックアウト溝２１をＵ字状として、ノックアウト部２２を除去すると閉塞板２０にＵ字状の切欠きが形成されるようにしてある。Ｕ字状の切欠きが形成された閉塞板２０は小径接続口形成板２４を構成し、この小径接続口形成板２４を開口１６ａから壁部１３の壁面に沿うように挿入してスリット１６に装着すると、図５（ａ）に示すように、ノックアウト部２２のＵ字状の半円弧部分と大径接続口１５の下部の半円弧部分とによって、大径接続口１５よりも小さい略円形状の小径接続口２３が形成される。この小径接続口２３は、配線材３０や大径接続口１５に接続される配管材３１より小径の配管材３１或いはこれらの端部に取付けられる接続具を壁部１３に挿通させたり接続するためのものである。小径接続口２３は小径の配管材３１の外径より僅かに小さい内径に形成されている。なお、小径接続口２３は、これに限らず、図５（ｂ）に示すように、ノックアウト溝２１の形状を、大径接続口１５よりも小径の円形状で、閉塞板２０をスリット１６に装着した状態で大径接続口１５と同心円状となるようにして、ノックアウト溝２１によって囲まれたノックアウト部２２を除去することで、円形状の大径接続口１５と同心円状に小径接続口２３を形成できるようにしてもよい。
【００２９】
また、図４に示すように、閉塞板２０は、スリット１６に装着した状態で上部が壁部１３の上端部よりも突出する部分が指で摘むことができる摘み部２５となっていてこの摘み部２５には、凹凸部２６が設けられており、スリット１６から閉塞板２０を指で摘んで抜き出す際に指が滑り難くなるようにしてある。更に、閉塞板２０は、図４（ａ）に示すように、閉塞板２０の一方の面の上部に、閉塞板２０の抜き差し方向に細長い線状の凸部２７が設けられている。この凸部２７を含めた閉塞板２０の厚みは、スリット１６の幅よりも若干（０．０５〜０．２ｍｍ程度）厚くしてあり、閉塞板２０をスリット１６に装着した状態では、スリット１６の内面によって凸部２７が押圧されることで、閉塞板２０のガタツキが抑えられる。そして、図４（ｂ）に示すように、閉塞板２０の他方の面の上部には、円形で表面が半球面状をなす突起２８が設けられている。この突起２８を含めた閉塞板２０の厚みは、スリット１６の幅よりも若干（０．１〜０．５ｍｍ程度）厚くしてあり、閉塞板２０をスリット１６に装着した状態では、突起２８が大径接続口１５の内周面に係止される。この突起２８と大径接続口１５との係止により、スリット１６から閉塞板２０が不用意に外れるのが防止されるようになっている。
【００３０】
次に、このように構成された本実施形態の電力量計取付盤１０の接続口１４を構成している大径接続口１５にケーブル等の配線材３０を挿通したり、ケーブル等を内部に収容して保護する保護管等の配管材３１を接続する方法を説明する。
【００３１】
まず、大径接続口１５に配管材３１を接続するときは、図６に示すように、配管材３１の先端部を保持してこの先端が大径接続口１５の奥部のフランジ部１８に突き当たるまでそのまま大径接続口１５に差し込むだけでよい。ここで、配管材３１としては、外面が平滑な直状管や外面に環状の凹凸が形成された波付管などが用いられる。前述のように、大径接続口１５の内径は配管材３１の外径より僅かに小さい大きさに形成されているので、配管材３１を大径接続口１５に強制的に押し込めば、配管材３１は、その外面が弾性的に大径接続口１５の内面に圧接されて保持、接続される。したがって、配管材３１は極めて簡単に大径接続口１５に接続することができる。なお、配管材３１を大径接続口１５に接続した後は、配線材３０を配管材３１内に挿通し、電力量計取付盤１０内に引き出すことができる。ところで、大径接続口１５にはその内径と同一またはこれより小さい外径を有する配管材３１を接続することもでき、それには、後述するように、接続具等を使用して接続する。
【００３２】
次に、大径接続口１５にケーブル等の配線材３０を挿通するには、図示しないが、大径接続口１５を、図１、図２に示したものではなく、ボス部１７が形成されていない平面的な大径接続口１５に変更し、例えば、ゴム製のブッシングの相対向する一対の鍔部のうちの一方を強制的に大径接続口１５内に押し込んで大径接続口１５の周りの壁部１３を一対の鍔部で挟み込んで取着した後、配線材３０の先端をブッシングの中央に設けられている放射線状の切込みに貫通させて電力量計取付盤１０の内部に挿通すればよい。
【００３３】
また、この大径接続口１５に大径の波付管などの配管材３１を接続するには、図示しないが、同様に、大径接続口１５を、図１、図２に示したものではなく、ボス部１７が形成されていない平面的な大径接続口１５に変更し、例えば、接続具であるコネクタの本体の一端部に配管材３１を接続した後、本体の他端部を大径接続口１５に挿通し、壁部１３の反対側からロックナットをコネクタの本体の他端部に形成されている雄ねじ部に締付けて大径接続口１５のフランジ部１８を挟持させればよい。
【００３４】
一方、接続口１４に「一の配線・配管材」である配管材３１より小径の配管材３１を接続するには、図示しないが、接続口１４を構成する大径接続口１５のスリット１６内にその開口１６ａから小径接続口形成板２４を壁部１３の壁面に沿って挿入すれば、接続口１４には小径接続口２３が形成されるので、以後は大径接続口１５に大径の配管材３１を接続する場合と同様の要領で小径の配管材３１を接続すればよい。なお、配管材３１が波付管の場合は、小径接続口形成板２４のＵ字状の半円弧部分の周縁が僅かに配管材３１の外面凹凸の谷部内に嵌入して係止したり、配管材３１の山部の外面が大径接続口１５の内周面や小径接続口形成板２４の半円弧部分の周縁に圧接される。ここで、接続の手順を逆にして、先に配管材３１を大径接続口１５内に挿入した後、小径接続口形成板２４をスリット１６内に挿入し、小径接続口形成板２４のＵ字状の円弧部分が配管材３１の外面に圧接し接続されるようにしてもよい。なお、この場合も、請求項の「挿通」に該当する。なお、小径の配管材３１の端部に取付けられる接続具を小径接続口２３に接続したり、配線材３０を小径接続口２３に挿通する場合も、大径接続口１５に接続したり挿通する場合と同様にして行なえばよい。
【００３５】
そして、接続口１４に配線材３０を挿通したり配管材３１や接続具を接続することがないときは、スリット１６に閉塞板２０を挿入して接続口１４全体を閉塞すればよい。これにより、接続口１４を通して外部から異物が侵入するのを防止でき、配線・配管器具の内部を保護できる。
【００３６】
次に、上記のように構成された本実施形態の配線・配管材またはその接続具の接続部の作用を説明する。
壁部１３に設けられた接続口１４は、壁部１３を貫通する孔によって形成され、孔の周縁全体が壁部１３で塞がれているので、十分な強度を備えている。また、閉塞板２０は、壁部１３の壁面に沿うように平行に移動して着脱自在に取付けられるものであるから、スリット１６に閉塞板２０の抜き差しするだけの極めて簡単な操作によって接続口１４を回数に関係なく自在に開口させたり閉塞することができる。更に、接続口１４は、予め壁部１３に形成されており、ノックアウトの打ち抜きによって形成されるものではないから、周縁にバリが発生することがなく、その仕上げ作業も不要である。
【００３７】
また、スリット１６に小口接続口形成板２４を差込めば小さな接続口１４としての小径接続口２３を形成することができる一方で、スリット１６から小口接続口形成板２４を抜出せば、接続口１４を大径接続口１５として使用することができることから、使用する接続口１４の大きさの変更を、スリット１６に対する小径接続口形成板２４の抜き差しという極めて簡単な操作によって実現することができる。
【００３８】
更に、大径接続口１５は壁部１３に予め形成されているため、大径接続口１５については、形成作業の煩わしさやバリによる不具合は生じず、しかも、強度は十分に確保される。一方、小径接続口２３については、小径接続口形成板２４によって、或いは、小径接続口形成板２４と大径接続口１５とによって形成されるのであるが、この小径接続口形成板２４は、壁部１３の壁面に沿って形成されたスリット１６に挿入されるものであることから、壁部１３の壁面に直交する方向には移動しないものとなっており、挿通または接続される配線・配管材や接続具の軸方向の力に対して堅固に安定した状態で壁部１３に組付けることができる。
【００３９】
また、挿通または接続される配線・配管材や接続具の外径が小さければ、大径接続口１５ではなくて小径接続口２３を選択して使用することができることから、配線・配管材や接続具周りの隙間をなくすか小さくすることができる。
【００４０】
加えて、大径接続口１５及び小径接続口２３は略円形状である。ここで、配線・配管材や接続具は、断面が円形状を呈するものであることが一般的である。よって、配線・配管材や接続具を挿通または接続するために略円形状の大径接続口１５や小径接続口２３を用いることで、より的確に配線・配管材や接続具周りの隙間をなくすか小さくすることができる。また、大径接続口１５及び小径接続口２３を略円形とすることで、配線・配管材や接続具を大径接続口１５や小径接続口２３に的確に接続することが可能となる。
【００４１】
そして、ノックアウト部２２を打ち抜いて除去してなる小径接続口形成板２４は、接続口１４を部分的に閉塞する閉塞板として機能する。よって、接続口１４の全体を開口させたり、接続口１４の一部即ち接続口１４の内周面と小径の配管材３１の外面との隙間を閉塞させたりすることを、スリット１６に対する小径接続口形成板２４の抜き差しという極めて簡単な操作によって実現することができる。
【００４２】
なお、小径接続口２３を形成する場合には、小径接続口形成板２４のノックアウト部２２を打抜くことから、打抜いたノックアウト部２２にバリが生じることを免れ得ず、このバリを除去しなければならない場合がある。ここで、小径接続口形成板２４のバリを除去する場合には、配線・配管器具が大型のものであったり、配線・配管器具が建物の壁面や床面に既に取付けられていたりすると、困難を極めるのであるが、小径接続口形成板２４のバリを除去する場合には、スリット１６から小径接続口形成板２４を抜出して手元で作業することが可能である。よって、小径接続口形成板２４に生じたバリの除去作業については、容易に行なうことができる。
【００４３】
ところで、本発明を適用できる配線・配管機器は、上述の板状の電力量計取付盤１０に限らず、例えば、図７に示すように、底面部４１と側面部４２とを備え、底面部４１や側面部４２が壁部１３となった、スイッチやコンセントの配線ボックス４０とすることもできる。この配線ボックス４０では、側面部４２を構成する壁部１３が部分的に肉厚となっており、この肉厚部分に接続口１４が設けられている。そして、配線ボックス４０は、接続口１４における壁部１３にはスリット１６が設けられており、このスリット１６に閉塞板２０或いは小径接続口形成板２４を着脱自在に挿入し取付けることができるようになっている。
【００４４】
また、接続口１４及びスリット１６については、一部が肉厚となった壁部１３の肉厚部分に設けるに限らず、図８に示すように、壁部１３全体を肉厚とし、接続口１４を形成して、この接続口１４が形成されている部分の壁部１３の内部にスリット１６を設けてもよい。
【００４５】
更に、図９に示すように、壁部１３の薄肉部分に接続口１４を設け、接続口１４の左右両側の壁部１３に一対のＬ字板状の係止突部４３，４３を相対向させた状態に形成し、この一対の係止突部４３，４３と壁部１３との間に閉塞板２０或いは小径接続口形成板２４を挿入し、取付けるようにしてもよい。
【００４６】
加えて、図１０に示すように、配線ボックス４０の壁部１３に設けた接続口１４周辺の壁裏面に一対の台形状の係止凹部４５，４５を形成するとともに、閉塞板２０或いは小径接続口形成板２４の一方の面に係止凹部４５，４５と係止可能な一対の台形状の係止凸部２９，２９を形成し、この係止凸部２９，２９を上方から配線ボックス４０の壁部１３の係止凹部４５，４５に係止させることにより閉塞板２０或いは小径接続口形成板２４を取付けるものとしてもよい。なお、図９の係止突部４３及び図１０の係止凹部４５も、請求項の「保持部」に相当する。
【００４７】
この保持部は、スリット１６や係止突部４３、係止凹部４５など、閉塞板２０及び小径接続口形成板２４を壁部１３の壁面に直交する方向に移動することなく壁面に沿って着脱自在に取付けて保持する各種形態のものを採用し得る。
【００４８】
更に、図７〜１０に示した配線ボックス４０では、壁部１３を構成する底面部４１にノックアウト部４４が設けられており、この底面部４１のノックアウト部４４を必要に応じて除去することにより、底面部４１にも接続口１４を形成することができるようにしてある。ここで、この底面部４１の接続口１４についても、その周辺の壁部１３にスリット１６や係止突部４３等を設けて、閉塞板２０や小径接続口径板２４の抜き差しによって接続口１４を開口させたり閉塞させるようにしてもよい。なお、図９及び図１０に示す係止突部４３、係止凹部４５は壁部１３の内面側に形成しているが、壁部１３の外面側に形成することを妨げるものではない。
【００４９】
また、上記実施形態の保持部は、例えば配線ボックス４０について言えば、接続口１４が設けられている側面部４２などの壁面に設けられているが、これに限られるものではなく、接続口１４が設けられている壁面とは異なる壁面例えば底面部４１に設けてもよい。この場合、保持部は、例えば、配線ボックス４０の底面部４１に閉塞板２０や小径接続口形成板２４の挿入先端部が嵌入収容される溝などを凹設して形成することができる。
【００５０】
そして、上記実施形態の小径接続口形成板２４は、閉塞板２０のノックアウト部２２を打ち抜くことによって形成されるものを示しているが、これに限られるものではなく、当初からＵ字状の半円弧部分が形成され、小径接続口２３が形成されている専用のものであってもよい。
【００５１】
また、上記実施形態の接続口１４である大径接続口１５は、予め壁部１３に形成されているが、これに限られるものではなく、ノックアウトの打ち抜きによって形成されるものであってもよい。
【００５２】
更に、上記実施形態では、閉塞板２０や小径接続口形成板２４は配線ボックス４０などの配線・配管器具の開口側から保持部に挿入されるものとなっているが、これに限らず、配線・配管器具の底面側に底面を貫通する挿入開口を設け、そこから閉塞板２０等を挿入するようにしてもよい。配線・配管器具の設置場所によっては、挿入開口は、底面側に制約されたり、底面側に設けてある方が便利なことがある。なお、底面側は接地面になることが多く、その場合には接地面が存在することによって閉塞板２０等が挿入開口から自然に外れることはない。
【００５３】
なお、上記実施形態においては、配線・配管器具として、電力量径取付板１０及び配線ボックス４０を例示しているが、本発明は、他に、仮設電源を収容する仮設電源ボックス、ブレーカー等の電気機器を収容する電機機器収容函などにおいても同様に適用できる。
また、接続口１４に接続されるものとして、他にダクトなどを挙げることもできる。
【符号の説明】
【００５４】
１０  電力量計取付盤（配線・配管器具）  ２２、４４  ノックアウト部
１３  壁部                              ２３  小径接続口
１４  接続口                            ２４  小径接続口形成板
１５  大径接続口                        ３０  配線材
１６  スリット（保持部）                ３１  配管材          
１８  フランジ部                        ４０  配線ボックス（配線・配管器具）
２０  閉塞板                            ４３  係止突部（保持部）
２１  ノックアウト溝                    ４５  係止凹部（保持部）
【図１】
2014183597.tif 000003
【図２】
2014183597.tif 000004
【図３】
2014183597.tif 000005
【図４】
2014183597.tif 000006
【図５】
2014183597.tif 000007
【図６】
2014183597.tif 000008
【図７】
2014183597.tif 000009
【図８】
2014183597.tif 000010
【図９】
2014183597.tif 000011
【図１０】
2014183597.tif 000012